(57)【要約】【課題】簡単な構造で且つ少ない部品点数で、キートップの十分な弾発押上力が得られ、またキートップをスムーズに上下動させることができる押圧型スイッチを提供する。【解決手段】フレキシブルスイッチ基板１１０と、フレキシブルスイッチ基板１１０に設けた上下一対のスイッチ接点１２３，１２７（メンブレンスイッチＭ）上に設置されこのメンブレンスイッチＭをオンオフするキートップ７０とを具備する。フレキシブルスイッチ基板１１０にキートップ取付部１１７と弾発部１１９とを設ける。キートップ取付部１１７を折り返してキートップ７０に取り付けることで基板折返部１３５を形成し、基板折返部１３５によってキートップ７０をフレキシブルスイッチ基板１１０から離れる方向に弾発する。弾発部１１９も折り返した状態でキートップ７０をフレキシブルスイッチ基板１１０から離れる方向に弾発する。【選択図】図６
2008192572.tif 000002
【特許請求の範囲】
【請求項１】
スイッチ接点を設けたフレキシブルスイッチ基板と、
前記フレキシブルスイッチ基板のスイッチ接点上に設置されこのスイッチ接点を押圧方向にてオンオフするキートップとを具備し、
前記フレキシブルスイッチ基板には、このフレキシブルスイッチ基板から引き出されるキートップ取付部と、このフレキシブルスイッチ基板から引き出される弾発部とを設け、
前記キートップ取付部をフレキシブルスイッチ基板のキートップを設置する面側に折り返して前記キートップに取り付けることで基板折返部を形成し、この基板折返部によってキートップをフレキシブルスイッチ基板から離れる方向に弾発し、
前記弾発部もフレキシブルスイッチ基板のキートップを設置する面側に折り返した状態でキートップをフレキシブルスイッチ基板から離れる方向に弾発することを特徴とする押圧型スイッチ。
【請求項２】
前記基板折返部の位置と、前記弾発部によるキートップの弾発位置とを、キートップの前記スイッチを押圧する押圧部の左右両側位置に設置したことを特徴とする請求項１に記載の押圧型スイッチ。
【請求項３】
前記弾発部は、その先端をフリーの状態としたままキートップを弾発することを特徴とする請求項１又は２に記載の押圧型スイッチ。
【請求項４】
前記キートップ取付部には電子部品が搭載され、
一方前記キートップには、前記キートップ取付部を設置する基板設置部材が取り付けられ、この基板設置部材のフレキシブルスイッチ基板側の面に前記スイッチ接点を押圧する押圧部を設けたことを特徴とする請求項１又は２又は３に記載の押圧型スイッチ。
【請求項５】
スイッチ接点を設けたフレキシブルスイッチ基板と、
前記フレキシブルスイッチ基板のスイッチ接点上に設置されこのスイッチ接点を押圧方向にてオンオフするキートップとを具備し、
前記フレキシブルスイッチ基板には、このフレキシブルスイッチ基板から引き出される一対の弾発部を設け、
前記一対の弾発部はそれぞれ前記フレキシブルスイッチ基板のキートップを設置する面側に折り返した状態で、その先端をフリーの状態としたままキートップをフレキシブルスイッチ基板から離れる方向に弾発することを特徴とする押圧型スイッチ。
【発明の詳細な説明】
【技術分野】
【０００１】
本発明は、キートップによってスイッチをオンオフする押圧型スイッチに関するものである。
【背景技術】
【０００２】
従来、押圧型スイッチの中には、スイッチ基板に形成したスイッチ接点の上部にキートップを設置し、さらにキートップを上下動自在に収納するケースを設置し、キートップを押圧することでキートップに設けた押圧部によって前記スイッチ接点をオンする構造のものがあった。
【０００３】
しかしながら上記従来の押圧型スイッチにおいては、以下のような問題点があった。
（１）キートップが押圧されていない状態のときにキートップとケースの間に隙間があると、この押圧型スイッチを振動させた際にキートップとケースとの間でがたつきに伴なう音が発生してしまう恐れがある。
【０００４】
（２）２枚のフレキシブルスイッチ基板を積層し、それらにそれぞれ設けた接点パターンを薄い隙間を介して対向させてなるいわゆるメンブレンスイッチ上に反転板などを載置しないで直接キートップを設置する構造の押圧型スイッチがある。この種の押圧型スイッチは、キートップに対して弱い押圧力を加えるだけで、且つ押圧の際のストロークがほとんどない状態でスイッチをオンさせたい用途（例えばタッチスイッチ）に用いて好適である。しかしながらこの種のメンブレンスイッチは、弱い押圧力でスイッチがオンするので、この押圧型スイッチを振動させるなどした際にキートップの自重によってスイッチがオンしてしまう恐れがある。
【０００５】
（３）上記問題（１），（２）を解決するには、キートップとスイッチ基板との間にコイルバネ等からなる弾発部材を設置し、この弾発部材によってキートップを上方向に押上げる（キートップをケースの何れかの部分に押し付ける）ことで、キートップを押圧していないときにキートップとスイッチの間に常に所定の隙間を持たせるように構成すれば良い（例えば特許文献１の図１，図２参照）。また上記問題（１），（２）を解決する別の方法として、キートップの外周からキートップと一体の可撓性を有するヒンジを突出して設けこのヒンジの先端を固定側の部材に取り付け、これによってキートップを押圧していないときにキートップとスイッチの間に常に所定の隙間を持たせるように構成しても良い。
以上のように構成すれば、キートップのケース内でのがたつきがなくなってがたつきに伴なう音が発生することがなくなるばかりか、キートップを押圧しないときはスイッチとの間に常に所定の隙間が生じ、たとえこの押圧型スイッチを振動等させてもキートップの自重によってスイッチがオンする恐れもない。しかしながらコイルバネ等の弾発部材を用いた場合は、その分押圧型スイッチの厚みが増してその薄型化が阻害されてしまうばかりか、押圧型スイッチの部品点数が増加してしまう。またヒンジを用いた場合はキートップの外方にヒンジが突出するので外形寸法の小型化が図れない。
【０００６】
（４）さらに上記問題（１），（２），（３）を解決するため、スイッチ基板としてフレキシブルスイッチ基板を用い、このフレキシブルスイッチ基板の一部をこのフレキシブルスイッチ基板上に折り返して折り返した部分にキートップを固定し、折り返したフレキシブルスイッチ基板の元の形状に戻ろうとする弾発力を利用してキートップを上方向に押し上げる構造の押圧型スイッチも考えられる。しかしながらこの押圧型スイッチの場合、フレキシブルスイッチ基板の折り返す部分は一箇所だけなので、弾発力が弱いばかりか、キートップの外周の一部のみが上方向に押上げられるのでバランスが悪く、キートップが斜めに上下動してしまってキートップの操作がスムーズに行えなくなったり、また確実にキートップを正規の復帰位置にまで押し上げられなくなったりする等の問題を生じる恐れがある。
【特許文献１】特開２００５−１２９４６７号公報
【発明の開示】
【発明が解決しようとする課題】
【０００７】
本発明は上述の点に鑑みてなされたものでありその目的は、簡単な構造で且つ少ない部品点数で、厚みの薄型化とキートップの十分な弾発押上力とが得られ、同時にキートップをスムーズに上下動させることができる押圧型スイッチを提供することにある。
【課題を解決するための手段】
【０００８】
本願請求項１に記載の発明は、スイッチ接点を設けたフレキシブルスイッチ基板と、前記フレキシブルスイッチ基板のスイッチ接点上に設置されこのスイッチ接点を押圧方向にてオンオフするキートップとを具備し、前記フレキシブルスイッチ基板には、このフレキシブルスイッチ基板から引き出されるキートップ取付部と、このフレキシブルスイッチ基板から引き出される弾発部とを設け、前記キートップ取付部をフレキシブルスイッチ基板のキートップを設置する面側に折り返して前記キートップに取り付けることで基板折返部を形成し、この基板折返部によってキートップをフレキシブルスイッチ基板から離れる方向に弾発し、前記弾発部もフレキシブルスイッチ基板のキートップを設置する面側に折り返した状態でキートップをフレキシブルスイッチ基板から離れる方向に弾発することを特徴とする押圧型スイッチにある。
【０００９】
本願請求項２に記載の発明は、前記基板折返部の位置と、前記弾発部によるキートップの弾発位置とを、キートップの前記スイッチを押圧する押圧部の左右両側位置に設置したことを特徴とする請求項１に記載の押圧型スイッチにある。
【００１０】
本願請求項３に記載の発明は、前記弾発部は、その先端をフリーの状態としたままキートップを弾発することを特徴とする請求項１又は２に記載の押圧型スイッチにある。
【００１１】
本願請求項４に記載の発明は、前記キートップ取付部には電子部品が搭載され、一方前記キートップには、前記キートップ取付部を設置する基板設置部材が取り付けられ、この基板設置部材のフレキシブルスイッチ基板側の面に前記スイッチ接点を押圧する押圧部を設けたことを特徴とする請求項１又は２又は３に記載の押圧型スイッチにある。
【００１２】
本願請求項５に記載の発明は、スイッチ接点を設けたフレキシブルスイッチ基板と、前記フレキシブルスイッチ基板のスイッチ接点上に設置されこのスイッチ接点を押圧方向にてオンオフするキートップとを具備し、前記フレキシブルスイッチ基板には、このフレキシブルスイッチ基板から引き出される一対の弾発部を設け、前記一対の弾発部はそれぞれ前記フレキシブルスイッチ基板のキートップを設置する面側に折り返した状態で、その先端をフリーの状態としたままキートップをフレキシブルスイッチ基板から離れる方向に弾発することを特徴とする押圧型スイッチにある。
【発明の効果】
【００１３】
請求項１に記載の発明によれば、フレキシブルスイッチ基板の一部を構成する基板折返部と弾発部の両者によってキートップをフレキシブルスイッチ基板から離れる方向に弾発するので、簡単な構造で且つ少ない部品点数で、キートップを十分な弾発押上力で弾発できる。また基板折返部と弾発部は何れもフレキシブルスイッチ基板の一部なのでその厚みは薄く、押圧型スイッチの厚みの薄型化を図ることができる。またキートップにヒンジのような外方に突出する部材を設けなくても良いので、外形の小型化も図れる。
【００１４】
請求項２に記載の発明によれば、キートップの押圧部の左右両側部分が基板折返部と弾発部とによって弾発されるので、キートップをバランス良く弾発できてこれをスムーズに上下動させることができる。
【００１５】
請求項３に記載の発明によれば、キートップに弾発部を固定できないような狭い場所等でも弾発部によってキートップを弾発できるので、押圧型スイッチの小型化が図れる。また弾発部をキートップに固定しなくてもよいので、押圧型スイッチの組み立てが容易になる。
【００１６】
請求項４に記載の発明によれば、キートップ取付部を利用してこれに電子部品を搭載することができる。
【００１７】
請求項５に記載の発明によれば、フレキシブルスイッチ基板の一部を構成する一対の弾発部の両者によってキートップをフレキシブルスイッチ基板から離れる方向に弾発するので、簡単な構造で且つ少ない部品点数で、キートップを十分な弾発押上力で弾発できる。また一対の弾発部は何れもフレキシブルスイッチ基板の一部なのでその厚みは薄く、押圧型スイッチの厚みの薄型化を図ることができる。またキートップにヒンジのような外方に突出する部材を設けなくても良いので、外形の小型化も図れる。またキートップに弾発部を固定できないような狭い場所等でも先端がフリーの一対の弾発部によってキートップを弾発できるので、この点からも押圧型スイッチの小型化が図れる。また一対の弾発部をキートップに固定しなくてもよいので、押圧型スイッチの組み立てが容易になる。
【発明を実施するための最良の形態】
【００１８】
以下、本発明の実施形態を図面に基づいて詳細に説明する。
図１は本発明の１実施形態にかかる押圧型スイッチ１−１の斜視図、図２は押圧型スイッチ１−１の分解斜視図、図３は別の角度から見た押圧型スイッチ１−１の分解斜視図である。これらの図に示すように押圧型スイッチ１−１は、第１ケース１０と第２ケース４０との間に、キートップ７０と、キートップ７０の一部を構成する基板設置部材８０と、キートップ７０の下部に設置されるフレキシブルスイッチ基板１１０とを収納して構成されている。以下各構成部品について説明する。
【００１９】
第１ケース１０は合成樹脂を略平板矩形状に成形して構成されており、上下方向（キートップ７０の押圧方向、以下同じ）に向かうその両側辺１１，１１によって第１ケース１０の一方の面に上下方向に向かう第１キートップ収納部１３を設け、また第１ケース１０の下端辺から第１キートップ収納部１３側に向かって平板矩形状の基板載置部１５を突出して設けて構成されている。第１ケース１０を構成する合成樹脂としてこの実施形態ではＡＢＳ樹脂を用いているが、ＰＢＴ樹脂等の他の各種合成樹脂材を用いても良い。第１キートップ収納部１３の幅（両側辺１１，１１間の離間距離）は、下記するキートップ７０を上下動自在にガイドして収納する寸法となっている。両側辺１１，１１の上下二ヶ所ずつからは外方（キートップ７０の押圧方向に直交する外方向）に向けて舌片状の取付用基部１７が突設されており、各取付用基部１７の第２ケース４０に対向する側の面からは第２ケース４０側に向けて突出する小突起からなる取付部１９が設けられている。基板載置部１５は下記するフレキシブルスイッチ基板１１０を載置する寸法形状の略矩形状に形成され、その上面にはフレキシブルスイッチ基板１１０を取り付ける小突起状の基板取付部２１が２つ設けられている。また基板載置部１５の第２ケース４０側を向く先端辺からは２つの舌片状のケース取付部２３が突設されている。
【００２０】
第２ケース４０は合成樹脂を略平板矩形状に成形して構成されており、上下方向に向かうその両側辺４１，４１によって第２ケース４０の一方の面に上下方向に向かう第２キートップ収納部４３を設け、また第２ケース４０の下端辺から第２キートップ収納部４３の反対側に向かって突出する矩形状の収納部４５を設けて構成されている。第２ケース４０を構成する合成樹脂としてこの実施形態ではＡＢＳ樹脂を用いているが、ＰＢＴ樹脂等の他の各種合成樹脂材を用いても良い。第２キートップ収納部４３の幅（両側辺４１，４１間の離間距離）は、下記するキートップ７０を上下動自在にガイドして収納する寸法となっている。両側辺４１，４１の上下二ヶ所ずつからは外方（キートップ７０の押圧方向に直交する外方向）に向けて舌片状の取付用基部４７が突設されており、各取付用基部４７の前記第１ケース１０の取付部１９に対向する位置にはこれら取付部１９を挿入する貫通孔からなる取付部４９が設けられている。
【００２１】
収納部４５はその第１ケース１０に対向する側の面に基板載置部１５の先端側の部分を挿入する収納凹部４８を設け、また収納凹部４８の反対側の面に基板載置部１５の２つのケース取付部２３をそれぞれ挿入する２つの貫通孔からなる挿入取付部５７を設けている。また第２ケース４０の第２キートップ収納部４３側の面の下部の両側辺４１，４１近傍には、キートップ７０側に突出して下記するキートップ７０と基板設置部材８０との間に挿入されてキートップ７０の下方向への移動を規制する舌片状に突出するストッパー５９が設けられている。また第２キートップ収納部４３側の面の上端辺近傍には、第２キートップ収納部４３内に突出し下記するキートップ７０の移動防止部７１に当接することでキートップ７０の上方向への移動（抜け）を防止する小突起状の一対の抜け防止部６１（図２では１ヶ所のみ示す）が設けられている。
【００２２】
キートップ７０は、合成樹脂を略矩形の平板状に成形して構成されている。このキートップ７０は透明な合成樹脂材料（この実施形態ではアクリル樹脂を用いているが、ポリカーボネート樹脂等の他の各種合成樹脂材料でも良い）によって構成されており、その上端辺には幅方向（キートップ７０の押圧方向に垂直な方向）に向かって階段状に切り欠いてなる移動防止部７１が設けられ、またその下面には下方向に向かって突出する一対の柱状の取付基部７３が設けられ、各取付基部７３の下面には下方向に突出する小突起状の取付部７５が設けられている。
【００２３】
基板設置部材８０は、合成樹脂（この実施形態ではＰＯＭ樹脂を用いているが、ＰＢＴ樹脂やＡＢＳ樹脂等の他の各種合成樹脂を用いても良い）を略矩形の平板状に成形して構成されており、前記キートップ７０の２つの取付部７５に対向する位置にこれら取付部７５をぴったり挿入する寸法形状の上下に貫通する取付孔部８１を設け、またその下面の略中央に下方向に突出する小突起状の押圧部８３（図４参照）を設けて構成されている。基板設置部材８０の上下面の形状寸法は前記キートップ７０下面の形状寸法と略同一寸法になっている。なおこの基板設置部材８０はキートップ７０と一体になってキートップ７０の一部を構成するものである。
【００２４】
図４は展開したフレキシブルスイッチ基板１１０とキートップ７０と基板設置部材８０とを示す斜視図である。同図に示すようにフレキシブルスイッチ基板１１０は、可撓性を有する合成樹脂フイルム製のフレキシブル基板の表面に所望の回路パターンを設けて構成されており、中央の略矩形状の第１基板部１１１と、この第１基板部１１１に帯状の連結部１１５を介して連結される略矩形状の第２基板部１１３と、第１基板部１１１の連結部１１５を設けた辺に対向する反対側の辺から突出するように引き出される略矩形状に伸びるキートップ取付部１１７と、第１基板部１１１のさらに別の辺から突出するように引き出される略矩形の弾発部１１９と、第１基板部１１１のさらにもう１つの別の辺から突出するように引き出されて帯状に延びてこのフレキシブルスイッチ基板１１０の電気回路を外部に引き出す引出部１２１とを具備して構成されている。
【００２５】
なおこのフレキシブルスイッチ基板１１０に用いる合成樹脂フイルムとして、この実施形態ではポリエチレンテレフタレート（ＰＥＴ）フイルムを用いているが、可撓性のある他の熱可塑性又は熱硬化性の各種合成樹脂フイルム、例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等を用いても良い。
【００２６】
第１基板部１１１は図４におけるその下面の略中央に導電パターンからなるスイッチ接点１２３を設け、またスイッチ接点１２３の左右両側に１つずつ貫通する小孔からなる係止部１２５を設けて構成されている。なおスイッチ接点１２３の部分は第１基板部１１１の下面に露出しているが、その周囲の部分には絶縁層からなるスペーサ層が設けられている。一方第２基板部１１３は図４におけるその下面の略中央に導電パターンからなるスイッチ接点１２７を設け、またスイッチ接点１２７の左右両側に１つずつ貫通する小孔からなる係止部１２９を設けて構成されている。なおスイッチ接点１２７の部分は第２基板部１１３の下面に露出しているが、その周囲の部分には絶縁層からなるスペーサ層が設けられている。
【００２７】
またキートップ取付部１１７は図４におけるその下面の略中央に電子部品である発光素子１３１を取り付け、発光素子１３１の左右両側に１つずつ貫通する小孔からなる係止部１３３を設けて構成されている。キートップ取付部１１７の外形寸法形状は前記基板設置部材８０の外形寸法形状と略同一寸法形状である。キートップ取付部１１７の根元部分は以下に説明するように折り曲げられることによって基板折返部１３５（例えば図６参照）となる部分である。なお前記第１基板部１１１の一対の係止部１２５の離間距離と、前記第２基板部１１３の一対の係止部１２９の離間距離と、前記第１ケース１０の一対の基板取付部２１の離間距離とは同一である。またキートップ取付部１１７の一対の係止部１３３の離間距離は前記キートップ７０の一対の取付部７５の離間距離と同一である。なお引出部１２１には、前記スイッチ接点１２３，１２７や発光素子１３１の部分に接続された回路パターンが引き出されている。
【００２８】
次に押圧型スイッチ１−１の組立手順の１例を説明する。まず図４のフレキシブルスイッチ基板１１０において、そのキートップ取付部１１７の発光素子１３１を設けた面側（図４の下面側）にキートップ７０を逆様にしてその下面を設置し、その際キートップ７０の一対の取付部７５をキートップ取付部１１７の一対の係止部１３３に挿入する。次に前記係止部１３３に挿入された一対の取付部７５をキートップ取付部１１７の上面側（発光素子１３１を設置した面の反対面側）に設置した基板設置部材８０の一対の取付孔部８１に挿入し、取付孔部８１から突出する取付部７５の先端を熱かしめし、これによってこれら各部材を一体化する（図５参照）。
【００２９】
次に図４に示すフレキシブルスイッチ基板１１０の第２基板部１１３を、図５に示すように第１基板部１１１の下面側に折り返して両者を重ね合わせ、その際両スイッチ接点１２３，１２７を対向させ、同時に両係止部１２５，１２９を一致させ、これによって一対のスイッチ接点１２３，１２７をスペーサ層の厚みによって薄い間隔を介して対向させてなるメンブレンスイッチＭとする。そして第２基板部１１３側の面を第１ケース１０の基板載置部１５上に載置し、その際基板載置部１５の各基板取付部２１を第１，第２基板部１１１，１１３の各係止部１２５，１２９に挿入し、各係止部１２５，１２９から突出する各基板取付部２１の先端を熱かしめし、これによってフレキシブルスイッチ基板１１０の第１，第２基板部１１１，１１３を基板載置部１５上に取り付ける。
【００３０】
そして前記キートップ７０を取り付けたキートップ取付部１１７を、第１基板部１１１上に折り返して設置し、その際キートップ７０を第１ケース１０の第１キートップ収納部１３内にその略半分の厚み分だけ上下動自在に収納する。このときのフレキシブルスイッチ基板１１０近傍部分の状態を図６に示す。同図に示すようにキートップ取付部１１７はその根元部分が折り返されることで基板折返部１３５が形成され、またこのとき弾発部１１９もフレキシブルスイッチ基板１１０のキートップ７０を設置する面側に折り返すことでその先端側の部分をキートップ７０の基板設置部材８０の下面に当接する。これによって基板設置部材８０を含むキートップ７０は基板折返部１３５の元の形状に戻ろうとする弾発力によって上方向（フレキシブルスイッチ基板１１０から離れる方向）に弾発され、同時に折り返した弾発部１１９の元の形状に戻ろうとする弾発力によって上方向に弾発される。なお弾発部１１９の根元近傍部分を第１ケース１０の面に当接させた状態で基板設置部材８０の下面に当接させれば、折り返した弾発部１１９は容易にその折り返し形状を保つことができる。
【００３１】
そして前記キートップ７０の露出している面側に第２ケース４０を設置してその第２キートップ収納部４３内にキートップ７０の露出している部分を収納し、同時に第１ケース１０の両側辺１１，１１と第２ケース４０の両側辺４１，４１とを接合し、その際第１ケース１０の各取付部１９を第２ケース４０の各取付部４９に挿入して各取付部１９の先端を各取付用基部４７の反対面側に突出する。同時に第１ケース１０の基板載置部１５の先端側の部分を第２ケース４０の収納凹部４８内に挿入して第１ケース１０の各ケース取付部２３を第２ケース４０の各挿入取付部５７に挿入し、各ケース取付部２３の先端を収納部４５の反対側の面から突出する。そして各取付部１９の先端と各ケース取付部２３の先端とを熱かしめして固定し、これら各部材を一体化すれば押圧型スイッチ１−１が完成する。
【００３２】
そして第１，第２ケース１０，４０の上面から突出するキートップ７０の先端部を押圧すれば、前記基板折返部１３５と弾発部１１９の弾発押上力に抗してキートップ７０は押し下げられ、その押圧部８３がフレキシブルスイッチ基板１１０のメンブレンスイッチＭ（スイッチ接点１２３，１２７）を押圧し、第１基板部１１１が押し下げられて両スイッチ接点１２３，１２７が当接しオンする。前記キートップ７０への押圧を解除すれば、前記基板折返部１３５と弾発部１１９の弾発押上力によってキートップ７０は元の位置に自動復帰し、メンブレンスイッチＭはオフする。なお発光素子１３１を発光すれば、その光は透明なキートップ７０内を通過して、その上端部を明るく照らし出す。
【００３３】
以上のようにキートップ７０は、フレキシブルスイッチ基板１１０の一部を構成する基板折返部１３５と弾発部１１９の両者によってフレキシブル回路基板１１０から離れる方向に弾発されるので、その弾発力は強く、簡単な構造で且つ少ない部品点数で、キートップ７０を十分な弾発力で弾発でき、キートップ７０を押圧しないときは基板設置部材８０に設けた押圧部８３はその真下に位置するメンブレンスイッチＭ（スイッチ接点１２３，１２７）の真上に常に所定の隙間を介して対向する。また基板折返部１３５と弾発部１１９は何れもフレキシブルスイッチ基板１１０の一部なのでその厚みは薄く、押圧型スイッチ１−１の厚みの薄型化を図ることができる。またキートップ７０にヒンジのような外方に突出する部材を設けなくても良いので、外形寸法の小型化も図れる。またキートップ７０の押圧部８３の左右両側部分（押圧部８３を中心にして略点対称位置）が基板折返部１３５と弾発部１１９とによって弾発されるので、キートップ７０をバランス良く上方向に弾発できてこれをスムーズに上下動させることができる。また弾発部１１９はその先端をフリーな状態としたままキートップ７０を弾発するので、キートップ７０に弾発部１１９を固定できないような狭い場所等でも弾発部１１９によってキートップ７０を弾発でき、押圧型スイッチ１−１の小型化が図れる。また弾発部１１９をキートップ７０に固定しなくてもよいので、押圧型スイッチ１−１の組み立てが容易になる。
【００３４】
以上説明したようにこの実施形態には、フレキシブルスイッチ基板１１０のメンブレンスイッチＭ（スイッチ接点１２３，１２７）上にこのメンブレンスイッチＭを押圧方向にてオンオフするキートップ７０を設置し、前記フレキシブルスイッチ基板１１０には、このフレキシブルスイッチ基板１１０から引き出されるキートップ取付部１１７と、このフレキシブルスイッチ基板１１０から引き出される弾発部１１９とを設け、前記キートップ取付部１１７をフレキシブルスイッチ基板１１０のキートップ７０を設置する面側に折り返してキートップ７０に取り付けることで基板折返部１３５を形成し、この基板折返部１３５によってキートップ７０をフレキシブルスイッチ基板１１０から離れる方向に弾発し、前記弾発部１１９もフレキシブルスイッチ基板１１０のキートップ７０を設置する面側に折り返した状態でキートップ７０をフレキシブルスイッチ基板１１０から離れる方向に弾発する押圧型スイッチ１−１が開示されている。
【００３５】
また上記実施形態には、基板折返部１３５の位置と、弾発部１１９によるキートップ７０の弾発位置とを、キートップ７０の押圧部８３の左右両側位置に設置した構成が開示されている。また上記実施形態には、弾発部１１９が、その先端をフリーの状態としたままキートップ７０を弾発する構成が開示されている。また上記実施形態には、キートップ取付部１１７に発光素子１３１が搭載され、一方キートップ７０にキートップ取付部１１７を設置する基板設置部材８０が取り付けられ、この基板設置部材８０のフレキシブルスイッチ基板１１０側の面にメンブレンスイッチＭ（スイッチ接点１２３，１２７）を押圧する押圧部８３を設けた構成が開示されている。
【００３６】
図７は本発明の他の実施形態にかかる押圧型スイッチ１−２の分解斜視図、図８はこの押圧型スイッチ１−２に用いるフレキシブルスイッチ基板１１０−２の展開斜視図である。両図に示す押圧型スイッチ１−２において、前記図１〜図６に示す実施形態にかかる押圧型スイッチ１−１と同一又は相当部分には同一符号を付す。なお以下で説明する事項以外の事項については、前記図１〜図６に示す実施形態と同じである。この実施形態にかかる押圧型スイッチ１−２において前記押圧型スイッチ１−１と相違する点は、キートップ７０を照光しない構成とした点であり、具体的に前記実施形態と相違する部材は、キートップ７０−２とフレキシブルスイッチ基板１１０−２である。
【００３７】
即ちこの実施形態に用いるキートップ７０−２は、前記実施形態で用いた基板設置部材８０を省略し、その代りに基板設置部材８０を設置していた位置までキートップ７０−２の下部の長さを長く形成している。キートップ７０−２の下面は平面状となっており、その略中央には下方向に突出する押圧部８３−２が設けられている。またフレキシブルスイッチ基板１１０−２において前記フレキシブルスイッチ基板１１０と相違する点は、キートップ取付部１１７を省略し、その代りに、弾発部１１９と略同一形状の別の弾発部１１９−２を設けている。弾発部１１９−２は第１基板部１１１の弾発部１１９を設けた辺に対向する反対側の辺の弾発部１１９とは離れた位置、即ち弾発部１１９に対してメンブレンスイッチＭを中心にして略点対称の位置における第１基板部１１１の辺から矩形状に突出している。弾発部１１９−２の突出方向は弾発部１１９の弾発方向の１８０°逆方向である。
【００３８】
そして図８に示すフレキシブルスイッチ基板１１０−２において、フレキシブルスイッチ基板１１０−２の第２基板部１１３を第１基板部１１１の下面側に折り返して両者を重ね合わせ、その際両スイッチ接点１２３，１２７を対向させ、同時に両係止部１２５，１２９の位置を一致させ、これによって一対のスイッチ接点１２３，１２７をスペーサ層の厚みによって薄い間隔を介して対向させてなるメンブレンスイッチＭを構成する。そして第２基板部１１３側の面を第１ケース１０の基板載置部１５上に載置し、その際基板載置部１５の各基板取付部２１を第１，第２基板部１１１，１１３の各係止部１２５，１２９に挿入し、各係止部１２５，１２９から突出する各基板取付部２１の先端を熱かしめし、これによってフレキシブルスイッチ基板１１０−２の第１，第２基板部１１１，１１３を基板載置部１５上に取り付ける。
【００３９】
そして前記一対の弾発部１１９，１１９−２をそれぞれフレキシブル回路基板１１０−２のキートップ７０−２を設置する面側に折り返した状態で、その上にキートップ７０−２を設置し、キートップ７０−２を第１ケース１０の第１キートップ収納部１３内にその略半分の厚み分だけ上下動自在に収納する。このとき両弾発部１１９，１１９−２の先端はフリーの状態のまま、キートップ７０−２をフレキシブルスイッチ基板１１０−２から離れる方向に弾発する。即ちキートップ７０−２は折り返した両弾発部１１９，１１９−２の元の形状に戻ろうとする弾発押上力によって上方向に弾発される。なお弾発部１１９，１１９−２の根元近傍部分をそれぞれ第１，第２ケース１０，４０の面に当接させた状態でキートップ７０−２の下面に当接させれば、折り返した弾発部１１９，１１９−２は何れも容易にその折り返し形状を保つことができる。
【００４０】
そして前記キートップ７０−２の露出している面側に第２ケース４０を設置してその第２キートップ収納部４３内にキートップ７０−２の露出している部分を収納し、前記実施形態と同様にして各部材を一体化すれば、押圧型スイッチ１−２が完成する。
【００４１】
そして第１，第２ケース１０，４０の上部から突出するキートップ７０−２の先端部を押圧すれば、前記一対の弾発部１１９，１１９−２の弾発押上力に抗してキートップ７０−２は押し下げられ、その押圧部８３−２がフレキシブルスイッチ基板１１０−２のメンブレンスイッチＭ（スイッチ接点１２３，１２７）を押圧し、第１基板部１１１が押し下げられて両スイッチ接点１２３，１２７が当接しオンする。前記キートップ７０−２への押圧を解除すれば、前記両弾発部１１９，１１９−２の弾発力によってキートップ７０−２は元の位置に自動復帰し、メンブレンスイッチＭはオフする。
【００４２】
以上のようにキートップ７０−２は、フレキシブルスイッチ基板１１０−２の一部を構成する一対の弾発部１１９，１１９−２の両者によってフレキシブル回路基板１１０−２から離れる方向に弾発されるので、その弾発力は強く、簡単な構造で且つ少ない部品点数で、キートップ７０−２を十分な弾発力で弾発でき、キートップ７０−２を押圧しないときは押圧部８３−２はその真下に位置するメンブレンスイッチＭ（スイッチ接点１２３，１２７）の真上に常に所定の隙間を介して対向する。また両弾発部１１９，１１９−２は何れもフレキシブルスイッチ基板１１０−２の一部なのでその厚みは薄く、押圧型スイッチ１−２の厚みの薄型化を図ることができる。またキートップ７０−２の押圧部８３−２の左右両側部分が弾発部１１９，１１９−２によって弾発されるので、キートップ７０−２をバランス良く上方向に弾発できてこれをスムーズに上下動させることができる。またキートップ７０−２にヒンジのような外方に突出する部材を設けなくても良いので、外形寸法の小型化も図れる。また弾発部１１９，１１９−２はその先端をフリーな状態としたままキートップ７０−２を弾発するので、キートップ７０−２に弾発部１１９，１１９−２を固定できないような狭い場所等でも弾発部１１９，１１９−２によってキートップ７０−２を弾発でき、この点からも押圧型スイッチ１−２の小型化が図れる。また弾発部１１９，１１９−２をキートップ７０−２に固定しなくてもよいので、押圧型スイッチ１−２の組み立てが容易になる。
【００４３】
以上説明したようにこの実施形態には、フレキシブルスイッチ基板１１０−２のメンブレンスイッチＭ（スイッチ接点１２３，１２７）上にこのメンブレンスイッチＭを押圧方向にてオンオフするキートップ７０−２を設置し、前記フレキシブルスイッチ基板１１０−２には、このフレキシブルスイッチ基板１１０−２から引き出される一対の弾発部１１９，１１９−２を設け、前記一対の弾発部１１９，１１９−２はそれぞれフレキシブルスイッチ基板１１０−２のキートップ７０−２を設置する面側に折り返した状態で、その先端をフリーの状態としたまま、キートップ７０−２をフレキシブルスイッチ基板１１０−２から離れる方向に弾発する押圧型スイッチ１−２が開示されている。また上記実施形態には、両弾発部１１９，１１９−２によるキートップ７０−２の弾発位置を、キートップ７０−２の押圧部８３−２の左右両側位置に設置した構成が開示されている。
【００４４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態ではフレキシブルスイッチ基板１１０に設けるスイッチ接点としてメンブレンスイッチＭを用い、メンブレンスイッチＭの上に直接キートップ７０の押圧部８３を対向させたが、メンブレンスイッチＭ上にドーム形状の金属弾性板からなる反転板を設置し、その上に押圧部８３を設置してなるクリック感触付のスイッチ接点や、１枚のフレキシブルスイッチ基板上に１つのスイッチ接点を設け、その上にドーム形状の金属弾性板からなる反転板を可動接点板として設置し、その上に押圧部８３を設置してなるクリック感触付のスイッチ接点で構成しても良いし、さらにそれら以外の構造の各種スイッチ接点であっても良い。前記実施形態では弾発部１１９（１１９−２）の先端をフリーの状態としたまま、キートップ７０（７０−２）を弾発するように構成したが、場合によっては弾発部をキートップに取り付けても良い。上記実施形態ではキートップ取付部１１７に取り付ける電子部品を発光素子１３１としたが、他の各種電子部品であっても良い。
【図面の簡単な説明】
【００４５】
【図１】押圧型スイッチ１−１の斜視図である。
【図２】押圧型スイッチ１−１の分解斜視図である。
【図３】押圧型スイッチ１−１の分解斜視図である。
【図４】展開したフレキシブルスイッチ基板１１０とキートップ７０と基板設置部材８０とを示す斜視図である。
【図５】押圧型スイッチ１−１の組立方法説明図である。
【図６】押圧型スイッチ１−１の内部構造説明図である。
【図７】押圧型スイッチ１−２の分解斜視図である。
【図８】フレキシブルスイッチ基板１１０−２の展開斜視図である。
【符号の説明】
【００４６】
１−１  押圧型スイッチ
１０  第１ケース
４０  第２ケース
７０  キートップ
８０  基板設置部材
８３  押圧部
１１０  フレキシブルスイッチ基板
１１７  キートップ取付部
１１９  弾発部
Ｍ  メンブレンスイッチ
１２３  スイッチ接点
１２７  スイッチ接点
１３１  発光素子（電子部品）
１３５  基板折返部
１−２  押圧型スイッチ
７０−２  キートップ
１１０−２  フレキシブルスイッチ基板
１１９−２  弾発部
【図１】
2008192572.tif 000003
【図２】
2008192572.tif 000004
【図３】
2008192572.tif 000005
【図４】
2008192572.tif 000006
【図５】
2008192572.tif 000007
【図６】
2008192572.tif 000008
【図７】
2008192572.tif 000009
【図８】
2008192572.tif 000010